(57)【特許請求の範囲】
【請求項１】
無線通信システムにおける効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送方法において、
ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  Ａｃｃｅｓｓ  Ｃｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて互いに異なる無線網に存在する場合に、
前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１ステップと、
前記ＭＡＣ−Ｄからデータと付加情報とを伝送チャネルを介して基地局（Ｎｏｄｅ
Ｂ）に伝送する第２ステップと、
前記基地局（Ｎｏｄｅ  Ｂ）で前記データと付加情報とを無線伝送形態に処理した後、多重化して物理チャネルを介して移動局に伝送する第３ステップと
を含む広帯域無線通信システムにおけるハイブリッド自動再伝送要求方式２／３のためのデータ伝送方法。
【請求項２】
無線通信システムにおける効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送方法において、
ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  Ａｃｃｅｓｓ  Ｃｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて同じ無線網に存在する場合に、
前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１ステップと、
前記ＭＡＣ−Ｄからデータと付加情報とを伝送チャネルを介して基地局（Ｎｏｄｅ
Ｂ）に伝送する第２ステップと、
前記基地局（Ｎｏｄｅ  Ｂ）でデータと付加情報とを無線伝送形態に処理した後、多重化して物理チャネルを介して移動局に伝送する第３ステップと
を含む広帯域無線通信システムにおけるハイブリッド自動再伝送要求方式２／３のためのデータ伝送方法。
【請求項３】
前記移動局が受信されたデータと付加情報とを解析して受信されたデータの状態を前記無線網に知らせて再伝送を要請する第４ステップと、前記移動局からの再伝送要求に応じて、前記無線網が前記第１ないし第３ステップを繰り返し行う第５ステップと
をさらに含む請求項１又は２に記載の広帯域無線通信システムにおけるハイブリッド自動再伝送要求方式２／３のためのデータ伝送方法。
【請求項４】
前記無線網は、実質的に、非同期無線網であることを特徴とする請求項３に記載の広帯域無線通信システムにおけるハイブリッド自動再伝送要求方式２／３のためのデータ伝送方法。
【請求項５】
前記第４ステップは、
前記移動局（ＵＥ）が受信したデータでデータ部分を階層１（ｌａｙｅｒ  １）バッファに格納し、付加情報部分をＭＡＣ−Ｄへの伝送形態に処理してデータ区別子と共に伝送チャネルを介して移動局のＭＡＣ−Ｄに伝送する第６ステップと、
前記移動局のＭＡＣ−Ｄが階層１（ｌａｙｅｒ  １）で受信した付加情報をＲＬＣ伝送形態に処理して論理チャネルを介して前記移動局のＲＬＣに伝送する第７ステップと、
前記移動局のＲＬＣが受信したデータを解析して移動局のＲＲＣに伝送する第８ステップと、
前記移動局のＲＲＣ（Ｒａｄｉｏ  Ｒｅｓｏｕｒｃｅ  Ｃｏｎｔｒｏｌ）が前記移動局のＲＬＣから受信したデータを階層１形態に処理して前記階層１に伝送する第９ステップと、
前記移動局の階層１が前記移動局のＲＲＣから受信した信号が格納されているデータの情報に該当すれば、受信信号に応じて格納されているデータを処理してＭＡＣ−Ｄ伝送形態に処理して伝送チャネルを介して移動局のＭＡＣ−Ｄに伝送する第１０ステップと、
前記移動局のＭＡＣ−Ｄが受信したデータをＲＬＣ形態のデータに処理して論理チャネルを介して移動局のＲＬＣに伝送する第１１ステップと、
前記移動局のＲＬＣが受信したデータの状態を前記無線網に報告する第１２ステップと
を含むことを特徴とする請求項４に記載の広帯域無線通信システムにおけるハイブリッド自動再伝送要求方式２／３のためのデータ伝送方法。
【請求項６】
前記第５ステップは、前記無線網のＲＬＣが受信した移動局の報告によって再伝送如何を決定し、再伝送である場合、前記第１ないし第３ステップを繰り返し行うことを特徴とする請求項５に記載の広帯域無線通信システムにおけるハイブリッド自動再伝送要求方式２／３のためのデータ伝送方法。
【請求項７】
前記論理チャネルは、実質的に、前記ＲＬＣ階層から前記データを前記ＭＡＣ−Ｄに伝送するためのＤＴＣＨ（Ｄｅｄｉｃａｔｅｄ  Ｔｒａｆｆｉｃ  ＣＨａｎｎｅｌ）論理チャネルであることを特徴とする請求項４に記載の広帯域無線通信システムにおけるハイブリッド自動再伝送要求方式２／３のためのデータ伝送方法。
【請求項８】
前記論理チャネルは、実質的に、前記ＲＬＣ階層から前記データが前記ＤＴＣＨ論理チャネルを介して前記ＭＡＣ−Ｄに伝送されるとき、並列に前記付加情報を前記ＭＡＣ−Ｄに伝送するための前記ＤＴＣＨ論理チャネル、あるいはＤＣＣＨ（Ｄｅｄｉｃａｔｅｄ  Ｃｏｎｔｒｏｌ  ＣＨａｎｎｅｌ）論理チャネルであることを特徴とする請求項７に記載の広帯域無線通信システムにおけるハイブリッド自動再伝送要求方式２／３のためのデータ伝送方法。
【請求項９】
前記伝送チャネルは、実質的に、前記ＭＡＣ−Ｄからデータと付加情報とを各々前記基地局（Ｎｏｄｅ  Ｂ）に伝送するためのＤＣＨ（Ｄｅｄｉｃａｔｅｄ  ＣＨａｎｎｅｌ）伝送チャネルであることを特徴とする請求項８に記載の広帯域無線通信システムにおけるハイブリッド自動再伝送要求方式２／３のためのデータ伝送方法。
【請求項１０】
前記物理チャネルは、実質的に、前記基地局（Ｎｏｄｅ  Ｂ）からデータと付加情報とを前記移動局に伝送するためのＤＰＣＨ（Ｄｅｄｉｃａｔｅｄ  Ｐｈｙｓｉｃａｌ  Ｃｈａｎｎｅｌ）物理チャネルであることを特徴とする請求項９に記載の広帯域無線通信システムにおけるハイブリッド自動再伝送要求方式２／３のためのデータ伝送方法。
【請求項１１】
前記第１ステップは、
前記ＲＬＣ階層が上位階層（あるいは網）から受信したデータを処理して前記ＤＴＣＨ論理チャネルを介して前記ＭＡＣ−Ｄに伝送する第６ステップと、
前記ＲＬＣ階層が前記第６ステップで処理したデータの付加情報を作成して、データ部分が前記ＭＡＣ−Ｄに伝送されるとき、並列に前記ＤＴＣＨ論理チャネル、あるいは前記ＤＣＣＨ論理チャネルを介して前記付加情報を前記ＭＡＣ−Ｄに伝送する第７ステップと
を含む請求項１０に記載の広帯域無線通信システムにおけるハイブリッド自動再伝送要求方式２／３のためのデータ伝送方法。
【請求項１２】
前記第２ステップは、
前記ＭＡＣ−Ｄが前記ＲＬＣ階層から受信したデータ部分を基地局（Ｎｏｄｅ  Ｂ）伝送形態に処理して前記ＤＣＨ伝送チャネルを介して前記基地局（Ｎｏｄｅ  Ｂ）に伝送する第８ステップと、
前記ＭＡＣ−Ｄは、前記ＲＬＣ階層から受信した付加情報部分を基地局（ＮｏｄｅＢ）伝送形態に処理して前記ＤＣＨ伝送チャネルを介して前記基地局（Ｎｏｄｅ  Ｂ）に伝送する第９ステップと
を含む請求項１１に記載の広帯域無線通信システムにおけるハイブリッド自動再伝送要求方式２／３のためのデータ伝送方法。
【請求項１３】
前記第２ステップは、
前記ＭＡＣ−Ｄが前記ＲＬＣ階層からデータ部分と付加情報部分とを共に受信するか、別々に受信した場合にも、上位階層制御信号に応じてデータ部分と付加情報部分とを基地局（Ｎｏｄｅ  Ｂ）伝送形態に処理して一つの信号に合わせて前記基地局（Ｎｏｄｅ  Ｂ）に伝送することを特徴とする請求項１１に記載の広帯域無線通信システムにおけるハイブリッド自動再伝送要求方式２／３のためのデータ伝送方法。
【請求項１４】
前記第３ステップは、
前記基地局（Ｎｏｄｅ  Ｂ）が前記ＭＡＣ−Ｄから受信したデータと付加情報とを各々無線伝送形態に処理し、前記ＤＰＣＨ物理チャネルに伝送し得るように多重化（Ｍｕｘｉｎｇ）して前記移動局（ＵＥ）に伝送することを特徴とする請求項１２に記載の広帯域無線通信システムにおけるハイブリッド自動再伝送要求方式２／３のためのデータ伝送方法。
【請求項１５】
前記無線網のＲＬＣ階層におけるデータ伝送過程は、
上位階層から受信したデータがトラフィック・データ、あるいは自動再伝送要求形式に適合するように作成されるべきデータであるかを決定する第７ステップと、
前記第７ステップにおいて、受信したデータがトラフィック・データ、あるいは自動再伝送要求形式に適合するように作成されるべきデータであるとしたならば、受信したデータを伝送データ形態に処理し、受信データの付加情報を抽出して伝送データ形態に処理する第８ステップと、
前記第８ステップで伝送形態に処理されたデータを、前記ＤＴＣＨ論理チャネルを介して伝送し、伝送形態に処理された付加情報を、前記ＤＣＣＨ論理チャネルを介して前記ＭＡＣ−Ｄに各々伝送する第９ステップと、
前記第７ステップにおいて、受信したデータがトラフィック・データ、あるいは自動再伝送要求形式に適合するように作成されるべきデータではないとした場合には、受信したデータを伝送データ形態に処理して前記ＭＡＣ−Ｄに各々伝送する第１０ステップと
を含む請求項１０に記載の広帯域無線通信システムにおけるハイブリッド自動再伝送要求方式２／３のためのデータ伝送方法。
【請求項１６】
前記第８ステップを行った後、伝送形態に処理されたデータと付加情報とを前記ＤＴＣＨ論理チャネルを介して前記ＭＡＣ−Ｄに伝送する第１１ステップをさらに含む請求項１５に記載の広帯域無線通信システムにおけるハイブリッド自動再伝送要求方式２／３のためのデータ伝送方法。
【請求項１７】
前記無線網の前記ＭＡＣ−Ｄにおけるデータ伝送過程は、前記ＲＬＣ階層から受信したデータを基地局（Ｎｏｄｅ  Ｂ）伝送形態に処理し、伝送形態に処理されたデータを、前記ＤＣＨ伝送チャネルを介して前記基地局（Ｎｏｄｅ  Ｂ）に伝送する第７ステップと、
上位階層の制御信号、あるいはデータ部分とデータ情報部分とが共に受信される場合、データ部分とデータ情報部分とを基地局（Ｎｏｄｅ  Ｂ）伝送形態に処理して一つの信号に合わせて前記基地局（Ｎｏｄｅ  Ｂ）に伝送する第８ステップと
を含む請求項１０に記載の広帯域無線通信システムにおけるハイブリッド自動再伝送要求方式２／３のためのデータ伝送方法。
【請求項１８】
前記無線網の前記基地局（Ｎｏｄｅ  Ｂ）におけるデータ伝送過程は、
前記ＭＡＣ−Ｄから受信したデータがデータあるいは付加情報であるかを判断する第７ステップと、
前記第７ステップの判断結果に応じて、データと付加情報とを各々処理し、前記ＤＰＣＨ物理チャネルを介して伝送し得るように処理した結果を多重化する第８ステップと、
多重化された結果を、前記ＤＰＣＨ物理チャネルを介して前記移動局（ＵＥ）に伝送する第９ステップと
を含む請求項１０に記載の広帯域無線通信システムにおけるハイブリッド自動再伝送要求方式２／３のためのデータ伝送方法。
【請求項１９】
前記移動局の階層１におけるデータ伝送過程は、
前記無線網から受信したデータをデータ部分と付加情報部分とに分離する第１３ステップと、
分離されたデータ部分を上位階層の信号を受信するまで階層１バッファに格納する第１４ステップと、
上位階層信号で格納されている信号の情報が受信されたとき、格納されているデータを前記階層信号に応じて処理する第１５ステップと、
上位階層信号に応じて処理されたデータをＭＡＣ−Ｄ伝送形態に処理して前記ＤＣＨ伝送チャネルを介して前記ＭＡＣ−Ｄに伝送する第１６ステップと、
分離された付加情報をＭＡＣ−Ｄ伝送形態に処理してデータ区別子と共に前記ＤＣＨ伝送チャネルを介して前記ＭＡＣ−Ｄに伝送する第１７ステップと
を含む請求項５に記載の広帯域無線通信システムにおけるハイブリッド自動再伝送要求方式２／３のためのデータ伝送方法。
【請求項２０】
前記移動局のＭＡＣ−Ｄにおけるデータ伝送過程は、
前記移動局の階層１から受信したデータをＲＬＣ伝送形態に処理する第１３ステップと、
前記第１３ステップを行った後、ＲＬＣ伝送形態に処理したデータが付加情報に該当する場合に、前記ＤＴＣＨ論理チャネル、あるいは前記ＤＣＣＨ論理チャネルを介して前記移動局のＲＬＣに伝送する第１４ステップと、
前記第１３ステップを行った後、ＲＬＣ伝送形態に処理したデータがデータに該当する場合に、前記ＤＴＣＨ論理チャネルを介して前記移動局のＲＬＣに伝送する第１５ステップと
を含む請求項５に記載の広帯域無線通信システムにおけるハイブリッド自動再伝送要求方式２／３のためのデータ伝送方法。
【請求項２１】
前記移動局のＲＬＣにおけるデータ伝送過程は、
前記移動局ＭＡＣ−Ｄから受信したデータがデータ部分であるか付加情報部分であるかを判断する第１３ステップと、
前記第１３ステップの判断結果、受信したデータがデータ部分であるならば、受信データ部分を網（あるいは上位階層）伝送形態に処理する第１４ステップと、
前記第１４ステップで伝送形態に処理されたデータ部分を網（あるいは上位階層）に伝送する第１５ステップと、
受信したデータ部分の状態を前記無線網のＲＬＣ伝送形態に作成して移動局のＭＡＣ−Ｄ、階層１を介して前記無線網のＲＬＣに伝送する第１６ステップとを含み、
前記第１３ステップの判断結果、受信したデータが付加情報部分であるならば、
受信した付加情報部分を解析して必要な部分を抽出する第１７ステップと、
前記第１７ステップで付加情報から抽出した必要な部分と前記移動局のＭＡＣ−Ｄを介して受信したデータ区別子とをＲＲＣ伝送形態に処理する第１８ステップと、
ＲＲＣ伝送形態に処理したデータを前記移動局のＲＲＣに伝送する第１９ステップと
を含む請求項５に記載の広帯域無線通信システムにおけるハイブリッド自動再伝送要求方式２／３のためのデータ伝送方法。
【請求項２２】
前記移動局のＲＲＣにおけるデータ伝送過程は、
前記移動局のＲＬＣから受信したデータがＡＲＱに該当する部分であるかを判断する第１３ステップと、
前記第１３ステップの判断結果に応じて、ＡＲＱに該当する部分を階層１伝送形態に処理してデータを前記移動局の階層１に伝送する第１４ステップと
を含む請求項５に記載の広帯域無線通信システムにおけるハイブリッド自動再伝送要求方式２／３のためのデータ伝送方法。
【請求項２３】
効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送のために、プロセッサを備えた無線通信システムに、
ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  Ａｃｃｅｓｓ  Ｃｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて互いに異なる無線網に存在する場合に、
前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１機能と、
前記ＭＡＣ−Ｄからデータと付加情報とを伝送チャネルを介して基地局（Ｎｏｄｅ
Ｂ）に伝送する第２機能と、
前記基地局（Ｎｏｄｅ  Ｂ）で前記データと付加情報とを無線伝送形態に処理した後、多重化して物理チャネルを介して移動局に伝送する第３機能と
を実現させるためのプログラムを記録したコンピュータで読み出すことのできる記録媒体。
【請求項２４】
効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送のために、プロセッサを備えた無線通信システムにおいて、
ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  Ａｃｃｅｓｓ  Ｃｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて同じ無線網に存在する場合に、
前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１機能と、
前記ＭＡＣ−Ｄからデータと付加情報とを伝送チャネルを介して基地局（Ｎｏｄｅ
Ｂ）に伝送する第２機能と、
前記基地局（Ｎｏｄｅ  Ｂ）でデータと付加情報とを無線伝送形態に処理した後、多重化して物理チャネルを介して移動局に伝送する第３機能と
を実現させるためのプログラムを記録したコンピュータで読み出すことのできる記録媒体。
【請求項２５】
前記移動局が受信したデータと付加情報とを解析して受信したデータの状態を前記無線網に知らせて再伝送を要請する第４機能と、
前記移動局からの再伝送要求に応じて、前記非同期無線網が前記第１ないし第３ステップを繰り返し行う第５機能と
をさらに実現させるための請求項２４に記載のプログラムを記録したコンピュータで読み出すことのできる記録媒体。
【発明の詳細な説明】
【０００１】
【発明が属する技術分野】
本発明は、広帯域無線通信システムにおけるハイブリッド自動再伝送要求方式２／３（Ｈｙｂｒｉｄ  ＡＲＱ（Ａｕｔｏｍａｔｉｃ  Ｒｅｐｅａｔ  ｆｏｒ  ｒｅＱｕｅｓｔ）  ｔｙｐｅ  ＩＩ／ＩＩＩ）のためのデータ伝送方法に関し、さらに詳細には、現在北米方式とヨーロッパ方式とに標準化が進められているＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ  ２０００）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）などのような次世代移動通信網に基づく非同期式無線通信システム（Ｗ−ＣＤＭＡ）における効率的なパケット・データサービスのためのハイブリッド自動再伝送要求方式２／３を具現できるように、二つの論理チャネルと一つの物理チャネル（好ましくは、ＤＰＣＨ（Ｄｅｄｉｃａｔｅｄ  Ｐｈｙｓｉｃａｌ  Ｃｈａｎｎｅｌ））とを利用してデータを伝送する方法及び前記方法を実現させるためのプログラムを記録したコンピュータで読み出すことのできる記録媒体に関する。
【０００２】
【従来の技術】
本発明で用いられる用語を定義すれば次の通りである。
【０００３】
”ＭＡＣ（Ｍｅｄｉｕｍ  Ａｃｃｅｓｓ  Ｃｏｎｔｒｏｌ，  ｏｒ  Ｍｅｄｉａ  Ａｃｃｅｓｓ  Ｃｏｎｔｒｏｌ  以下”ＭＡＣ”という）”は媒体アクセス制御のことであり、伝送路にデータを送出する際の端末の制御を言う。
【０００４】
”ＲＮＣ−ＲＬＣ（Ｒａｄｉｏ  Ｎｅｔｗｏｒｋ  Ｃｏｎｔｒｏｌｌｅｒ−Ｒａｄｉｏ  Ｌｉｎｋ  Ｃｏｎｔｒｏｌ）”は制御局−無線リンク制御プロトコル階層エンティティ、”ＲＮＣ−ＭＡＣ−Ｄ（Ｒａｄｉｏ  Ｎｅｔｗｏｒｋ  Ｃｏｎｔｒｏｌｌｅｒ−Ｍｅｄｉｕｍ  Ａｃｃｅｓｓ  Ｃｏｎｔｒｏｌ  Ｄｅｄｉｃａｔｅｄ  Ｅｎｔｉｔｙ）”は制御局−媒体アクセス制御プロトコル階層端末専用エンティティ、そして”ＲＮＣ−ＭＡＣ−Ｃ／ＳＨ（Ｒａｄｉｏ  Ｎｅｔｗｏｒｋ  Ｃｏｎｔｒｏｌｌｅｒ−Ｍｅｄｉｕｍ  Ａｃｃｅｓｓ  Ｃｏｎｔｒｏｌ  Ｃｏｍｍｏｎ／Ｓｈａｒｅｄ  Ｅｎｔｉｔｙ）”は制御局−媒体アクセス制御プロトコル階層端末共用／共有エンティティである。
【０００５】
”Ｎｏｄｅ  Ｂ−Ｌ１”は基地局−物理チャネル階層エンティティである。
”ＵＥ−Ｌ１（Ｕｓｅｒ  Ｅｑｕｉｐｍｅｎｔ−Ｌ１）”は端末−物理チャネル階層エンティティ、”ＵＥ−ＭＡＣ−Ｃ／ＳＨ（Ｕｓｅｒ  Ｅｑｕｉｐｍｅｎｔ−Ｍｅｄｉｕｍ  Ａｃｃｅｓｓ  Ｃｏｎｔｒｏｌ  Ｃｏｍｍｏｎ／Ｓｈａｒｅｄ  Ｅｎｔｉｔｙ）”は、端末−媒体アクセス制御プロトコル階層端末共用／共有エンティティ、”ＵＥ−ＭＡＣ−Ｄ（Ｕｓｅｒ  Ｅｑｕｉｐｍｅｎｔ−Ｍｅｄｉｕｍ  Ａｃｃｅｓｓ  Ｃｏｎｔｒｏｌ  Ｄｅｄｉｃａｔｅｄ  Ｅｎｔｉｔｙ）”は端末−媒体アクセス制御プロトコル階層端末専用エンティティ、”ＵＥ−ＲＬＣ（Ｕｓｅｒ  Ｅｑｕｉｐｍｅｎｔ−Ｒａｄｉｏ  Ｌｉｎｋ  Ｃｏｎｔｒｏｌ）”は、端末−無線リンク制御プロトコル階層エンティティ、そして”ＵＥ−ＲＲＣ（Ｕｓｅｒ  Ｅｑｕｉｐｍｅｎｔ−Ｒａｄｉｏ  Ｒｅｓｏｕｒｃｅ  Ｃｏｎｔｒｏｌ）”は端末−無線資源制御プロトコル階層エンティティである。
【０００６】
”Ｉｕｂ”は制御局（ＲＮＣ）と基地局（Ｎｏｄｅ  Ｂ）との間のインターフェース、”Ｉｕｒ”は制御局（ＲＮＣ）と他の制御局（ＲＮＣ）との間のインターフェースを示す。また、”Ｕｕ”は、基地局（Ｎｏｄｅ  Ｂ）と端末（ＵＥ）との間の無線インターフェースを示す。
【０００７】
”論理チャネル（Ｌｏｇｉｃａｌ  ｃｈａｎｎｅｌ）”は、ＲＬＣプロトコル・エンティティとＭＡＣプロトコル・エンティティとの間でデータを互に送受信するための用途に用いられる論理的なチャネルである。
【０００８】
”伝送チャネル（Ｔｒａｎｓｐｏｒｔ  ｃｈａｎｎｅｌ）”は、ＭＡＣプロトコル・エンティティと物理階層（Ｐｈｙｓｉｃａｌ  Ｌａｙｅｒ）との間でデータを互に送受信するための用途に用いられる論理的なチャネルである。”物理チャネル（Ｐｈｙｓｉｃａｌ  ｃｈａｎｎｅｌ）”は、無線環境を介して端末とシステムとの間でデータを互に送受信するための用途に用いられる実際的なチャネルである。
【０００９】
非同期移動通信システム（ＵＴＲＡＮ；  ＵＭＴＳ  Ｔｅｒｒｅｓｔｒｉａｌ  Ｒａｄｉｏ  Ａｃｃｅｓｓ  Ｎｅｔｗｏｒｋ，  ＵＭＴＳ；  Ｕｎｉｖｅｒｓａｌ  Ｍｏｂｉｌｅ  Ｔｅｌｅｐｈｏｎｅ  Ｓｙｓｔｅｍ）の無線網からデータを移動局（端末（ＵＥ））に伝送する場合、スループット（Ｔｈｒｏｕｇｈｐｕｔ）が”Ｈｙｂｒｉｄ  ＡＲＱ  ｔｙｐｅ  Ｉ”より優れた”ハイブリッド自動再伝送要求方式２／３（Ｈｙｂｒｉｄ  ＡＲＱ  ｔｙｐｅ  ＩＩ／ＩＩＩ）”を利用することができる。
【００１０】
図１は、一般的な広帯域無線通信網（Ｗ−ＣＤＭＡ）の構成例示図であって、非同期移動通信システム（ＵＴＲＡＮ）環境を一例として述べる。
【００１１】
図１に示すように、非同期移動通信システム（ＵＴＲＡＮ）は、移動局（端末（ＵＥ））１００、非同期無線網２００、そして無線通信コア・ネットワーク（例えば、ＧＳＭ−ＭＡＰ  ｃｏｒｅ  ｎｅｔｗｏｒｋ）３００間に有機的に接続されて構成されている。ここで、効率的なハイブリッド自動再伝送要求方式２／３は、移動局１００と非同期無線網２００との間に適用される技術であり、受信したデータに誤りがある場合に、受信側から送信側に再伝送を要請する場合に利用される技術である。
【００１２】
図２は、一般的な非同期移動通信システム（ＵＴＲＡＮ）の詳細構成例示図であって、図面で”Ｉｕ”は、無線通信コア・ネットワーク３００と非同期無線網２００との間のインターフェースであって、”Ｉｕｒ”は、非同期無線網２００の制御局（ＲＮＣ）間の論理的なインターフェースであり、そして”Ｉｕｂ”は、制御局（ＲＮＣ）と基地局（ノードＢ）との間のインターフェースを各々示す。一方、”Ｕｕ”は、非同期移動通信システム（ＵＴＲＡＮ）と移動局（ＵＥ  ：  Ｕｓｅｒ  Ｅｑｕｉｐｍｅｎｔ）  との間の無線インターフェースを示す。
【００１３】
ここで、ノードＢ（Ｎｏｄｅ  Ｂ）は、一つまたはその以上のセルでＵＥとの無線送受信を担当する論理的なノードである。
【００１４】
一般的に、非同期移動通信システム（ＵＴＲＡＮ）で、送信側から伝送したデータを受信側において確認し、受信したデータ（ｄａｔａ）に誤りがある場合に、受信側が送信側に再伝送を要求する方式には、自動再伝送要求（ＡＲＱ  ：  Ａｕｔｏｍａｔｉｃ  Ｒｅｐｅａｔ  ｒｅＱｕｅｓｔ）方式があり、この方式は大きく自動再伝送要求（ＡＲＱ）タイプＩ、ＩＩ、そしてＩＩＩの三つに分けられる。以下、各方式の技術的特徴を述べる。
【００１５】
自動再伝送要求（ＡＲＱ）は、伝送中に誤りが発生したことを自動に感知して誤りが発生したブロックを再び伝送される方式の誤り制御プロトコルをいう。すなわち、データ伝送上の誤り制御方式の一つであって、誤りが検出されれば、自動に再伝送要求信号を発生させて誤った信号から再伝送させるシステムである。
【００１６】
非同期移動通信システム（ＵＴＲＡＮ）におけるパケット・データの伝送のためには、受信端で誤りが発生したパケットの再伝送を要求するＡＲＱ方式を使用することができる。
【００１７】
ところが、このようなＡＲＱ方式を使用すると、無線チャネル環境の不安定性により再伝送を要求する回数が増加してしまい、単位時間に送ることのできるデータ量であるスループット（ｔｈｒｏｕｇｈｐｕｔ）が減少してしまう。したがって、このような問題を低減するために、ＡＲＱ方式と順方向誤り訂正符号化（ＦＥＣ  ：  Ｆｏｒｗａｒｄ  Ｅｒｒｏｒ  Ｃｏｒｒｅｃｔｉｏｎ  Ｃｏｄｉｎｇ）方式とを共に使用されている。、この方式はＨｙｂｒｉｄ  ＡＲＱと呼ばれている。
【００１８】
Ｈｙｂｒｉｄ  ＡＲＱには、その方式に応じてタイプＩ、ＩＩ、ＩＩＩがある。
【００１９】
タイプＩの場合、チャネル環境や要求されるサービス品質（ＱｏＳ  ：  Ｑｕａｌｉｔｙ  ｏｆＳｅｒｖｉｃｅ）に応じて一つのコーディング・レート（ｃｏｄｉｎｇ  Ｒａｔｅ）（例えば、ｃｏｎｖｏｌｕｔｉｏｎａｌ  ｃｏｄｉｎｇ中でＮｏ  Ｃｏｄｉｎｇ、Ｒａｔｅ  １／２、Ｒａｔｅ  １／３の中一つ）が決定されればこれを続けて使用し、受信端では、再伝送要求時に以前に受信したデータを除去し、送信端では、これを以前に伝送されたコーディング・レートで再伝送する。このような場合に、可変的なチャネル環境に応じてコーディング・レートが変わらないので処理量がタイプＩＩ、ＩＩＩに比べて低減し得る。
【００２０】
タイプＩＩの場合には、受信端でデータの再伝送を要求する場合にこれを除去せず、バッファに格納し、また再伝送されたデータと結合（ｃｏｍｂｉｎｉｎｇ）を行う。すなわち、初めに伝送するコーディング・レートをハイ・コーディング・レート（ｈｉｇｈ  ｃｏｄｉｎｇ  ｒａｔｅ）で伝送し、再伝送要求時にそれよりさらに低いコーディング・レートで伝送して以前に受信したデータと結合（ｃｏｄｅ  ｃｏｍｂｉｎｉｎｇ、ｍａｘｉｍａｌ  ｒａｔｉｏ  ｃｏｍｂｉｎｉｎｇ）を行うことにより、タイプＩに比べて性能をはるかに向上させることができる。例えば、コンボルーション・コーディング・レート（ｃｏｎｖｏｌｕｔｉｏｎａｌ  ｃｏｄｉｎｇ  ｒａｔｅ）１／４であるマザー・コード（ｍｏｔｈｅｒ  ｃｏｄｅ）があれば、これを利用してパンクチャリング（ｐｕｎｃｔｕｒｉｎｇ）することによって、コーディング・レート８／９、２／３、１／４のようなコーディング・レートを作成することができ、これをＲＣＰＣ（Ｒａｔｅ  Ｃｏｍｐａｔｉｂｌｅ  Ｐｕｎｃｔｕｒｅｄ  Ｃｏｎｖｏｌｕｔｉｏｎａｌ）コードという。
【００２１】
一方、ターボ・コード（ｔｕｒｂｏ  ｃｏｄｅ）をパンクチャリングして得られるコードをＲＣＰＴ（Ｒａｔｅ  Ｃｏｍｐａｔｉｂｌｅ  Ｐｕｎｃｔｕｒｅｄ  Ｔｕｒｂｏ）コードという。これは初めての伝送では、コーディング・レート８／９で伝送し、そのときの再伝送バージョン（ｖｅｒｓｉｏｎ）をｖｅｒ（０）とすれば、ＣＲＣ（Ｃｙｃｌｉｃ  Ｒｅｄｕｎｄａｎｃｙ  Ｃｈｅｃｋ）を検査して誤りが発見される場合に、このデータをバッファに格納して再伝送を要求することとなる。このとき、再伝送をするときにはコーディング・レート２／３で伝送し、このときのバージョンはｖｅｒ（１）となる。ここで、受信端ではバッファに格納されているｖｅｒ（０）と受信されたｖｅｒ（１）とを結合し、この値をデコーディング（ｄｅｃｏｄｉｎｇ）してＣＲＣを検査する。ＣＲＣ検査結果、誤りが発見されなくなるまでこの過程を繰り返して最近に伝送されたｖｅｒ（ｎ）は以前に伝送されたｖｅｒ（ｎ−ａ）（０＜ａ≦ｎ）と結合される。
【００２２】
タイプＩＩＩの場合には、タイプＩＩとほとんど同様であり、差異点は、再伝送されたデータであるｖｅｒ（ｎ）をｖｅｒ（ｎ−ａ）等と結合する前に、まずデコーディングをした後、ＣＲＣを検査して誤りが発生しなければ、上位階層にこの値を伝送する。もし、誤りが発生すれば、ｖｅｒ（ｎ−ａ）と結合し、ＣＲＣを検査して再伝送如何を決定する。
【００２３】
このように、非同期移動通信システム（ＵＴＲＡＮ）では、効率的なデータ伝送のために、Ｈｙｂｉｄ  ＡＲＱ  ｔｙｐｅ  ＩＩ／ＩＩＩを使用する。ＨｙｂｉｄＡＲＱ  ｔｙｐｅ  ＩＩ／ＩＩＩは、最初にはハイ・コーディング・レート（ｈｉｇｈ  ｃｏｄｉｎｇ  ｒａｔｅ）でコーディングをし、再伝送をするときにはロー・コーディング・レート（ｌｏｗ  ｃｏｄｉｎｇ  ｒａｔｅ）でコーディングをして、これを受信端で結合して処理量を高める方式である。したがって、結合のためには、ＰＤＵ（Ｐｒｏｔｏｃｏｌ  Ｄａｔａ  Ｕｎｉｔ）シーケンス番号（ｓｅｑｕｅｎｃｅ  ｎｕｍｂｅｒ）と再伝送回数との関係（ｖｅｒｓｉｏｎ）を予め知っておくべきであり、このような情報は、再伝送コーディング・レートと関係なく低いコーディング・レートを使用して品質を保障すべきである。
【００２４】
非同期移動通信システム（ＵＴＲＡＮ）におけるハイブリッド自動再伝送要求方式２／３を具現する方式では、ダウンリンク（ｄｏｗｎｌｉｎｋ）の場合、ＤＳＣＨ（Ｄｏｗｎｌｉｎｋ  Ｓｈａｒｅｄ  Ｃｈａｎｎｅｌ）を介して、そしてＴＤＤ（Ｔｉｍｅ  Ｄｉｖｉｓｉｏｎ  Ｄｕｐｌｅｘ）のアップリンク（ｕｐｌｉｎｋ）の場合、ＵＳＣＨ（Ｕｐｌｉｎｋ  Ｓｈａｒｅｄ  Ｃｈａｎｎｅｌ）を介して伝送するデータ部分とそのデータの情報（ｄａｔａ  ｓｅｑｕｅｎｃｅ  ｎｕｍｂｅｒとｄａｔａ  ｖｅｒｓｉｏｎ等）に該当する部分を作成して直列（ｓｅｒｉａｌ）伝送する方式がある。このような方式でハイブリッド自動再伝送要求方式２／３を処理する場合、ハードウェアの複雑度が増加する問題点がある。
【００２５】
ハイブリッド自動再伝送要求方式２／３では、伝送データ部分と伝送データの情報部分とのデータ・コーディング・レート（ｄａｔａ  ｃｏｄｉｎｇ  ｒａｔｅ）は互いに異なる。すなわち、Ａというコーディング・レートでデータの情報部分を処理して格納し、Ｂというコーディング・レートでデータ部分を処理して格納しておき、各部分を送るべき時点で格納されているデータを読み出してダウンリンクの場合ＤＳＣＨ（Ｄｏｗｎｌｉｎｋ  Ｓｈａｒｅｄ  Ｃｈａｎｎｅｌ）に、そしてＴＤＤ（Ｔｉｍｅ  Ｄｉｖｉｓｉｏｎ  Ｄｕｐｌｅｘ）のアップリンクの場合ＵＳＣＨ（Ｕｐｌｉｎｋ  Ｓｈａｒｅｄ  Ｃｈａｎｎｅｌ）に載せて伝送しなければならない。したがって、コーディングされたデータを格納して必要な時間に使用するためのデータを読み出すようにハードウェアを構成しなければならないため、複雑度が増加する問題点があった。
【００２６】
【発明が解決しようとする課題】
上記したような問題点を解決するために案出された本発明は、無線通信システムにおける効率的なパケット・データサービスのためのハイブリッド自動再伝送要求方式２／３具現時に、二つの論理チャネルと一つの物理チャネル（好ましくは、ＤＰＣＨ（Ｄｅｄｉｃａｔｅｄ  Ｐｈｙｓｉｃａｌ  Ｃｈａｎｎｅｌ））とを利用して伝送部の物理チャネルのハードウェアの複雑度を低減させるためのデータ伝送方法及び前記方法を実現させるためのプログラムを記録したコンピュータで読み出すことのできる記録媒体を提供することにその目的がある。
【００２７】
【課題を解決するための手段】
上記目的を達成するため、本発明は、無線通信システムにおける効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送方法において、ＭＡＣ（Ｍｅｄｉｕｍ  Ａｃｃｅｓｓ  Ｃｏｎｔｒｏｌ、以下”ＭＡＣ”という）階層で共用チャネル部分を処理するＭＡＣ−Ｃ（Ｍｅｄｉｕｍ  ＡｃｃｅｓｓＣｏｎｔｒｏｌ  Ｃｏｍｍｏｎ、以下”ＭＡＣ−Ｃ”という）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ、以下”ＭＡＣ−Ｄ”という）とが互いに分離されて互いに異なる無線網に存在する場合に、前記無線網のＲＬＣ（Ｒａｄｉｏ  Ｌｉｎｋ  Ｃｏｎｔｒｏｌ、以下”ＲＬＣ”という）階層でデータと付加情報とを生成して生成されたデータと付加情報とを論理チャネルを介して前記ＭＡＣ−Ｄに伝送する第１ステップと、前記ＭＡＣ−Ｄからデータと付加情報とを伝送チャネルを介して基地局（Ｎｏｄｅ  Ｂ）に伝送する第２ステップと、前記基地局（Ｎｏｄｅ  Ｂ）で前記データと付加情報とを無線伝送形態に処理した後、多重化して物理チャネルを介して移動局に伝送する第３ステップとを含んでなることを特徴とする。
【００２８】
また、上記目的を達成するため、本発明は、無線通信システムにおける効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送方法において、ＭＡＣ（Ｍｅｄｉｕｍ  Ａｃｃｅｓｓ  Ｃｏｎｔｒｏｌ、以下”ＭＡＣ”という）階層で共用チャネル部分を処理するＭＡＣ−Ｃ（Ｍｅｄｉｕｍ  Ａｃｃｅｓｓ  Ｃｏｎｔｒｏｌ  Ｃｏｍｍｏｎ）と一般ユーザー部分を処理するＭＡＣ−Ｄ（ＭｅｄｉｕｍＡｃｃｅｓｓ  Ｃｏｎｔｒｏｌ  Ｄｅｄｉｃａｔｅｄ）とが互いに分離されて同じ無線網に存在する場合に、前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１ステップと、前記ＭＡＣ−Ｄからデータと付加情報とを伝送チャネルを介して基地局（Ｎｏｄｅ  Ｂ）に伝送する第２ステップと、前記基地局（Ｎｏｄｅ  Ｂ）でデータと付加情報とを無線伝送形態に処理した後、多重化して物理チャネルを介して移動局に伝送する第３ステップとを含んでなることを特徴とする。
【００２９】
また、上記目的を達成するため、本発明は、効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送のために、プロセッサを備えた無線通信システムに、ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  ＡｃｃｅｓｓＣｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて互いに異なる無線網に存在する場合に、前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１機能と、前記ＭＡＣ−Ｄからデータと付加情報とを伝送チャネルを介して基地局（Ｎｏｄｅ  Ｂ）に伝送する第２機能と、前記基地局（Ｎｏｄｅ  Ｂ）で前記データと付加情報とを無線伝送形態に処理した後、多重化して物理チャネルを介して移動局に伝送する第３機能とを実現させるためのプログラムを記録したコンピュータで読み出すことのできる記録媒体を提供する。
【００３０】
また、上記目的を達成するため、本発明は、効率的なデータ伝送のためのハイブリッド自動再伝送要求方式２／３（Ｈｙｂｒｉｄ  ＡＲＱ  ｔｙｐｅ  ＩＩ／ＩＩＩ）適用時のデータ伝送のために、プロセッサを備えた無線通信システムに、ＭＡＣ（Ｍｅｄｉｕｍ  Ａｃｃｅｓｓ  Ｃｏｎｔｒｏｌ）階層で共用チャネル部分を処理するＭＡＣ−Ｃ（Ｍｅｄｉｕｍ  ＡｃｃｅｓｓＣｏｎｔｒｏｌ  Ｃｏｍｍｏｎ）と一般ユーザー部分を処理するＭＡＣ−Ｄ（Ｍｅｄｉｕｍ  Ａｃｃｅｓｓ  Ｃｏｎｔｒｏｌ  Ｄｅｄｉｃａｔｅｄ）とが互いに分離されて同じ無線網に存在する場合に、前記無線網のＲＬＣ（Ｒａｄｉｏ  Ｌｉｎｋ  Ｃｏｎｔｒｏｌ）階層でデータと付加情報とを生成して生成されたデータと付加情報とを論理チャネルを介して前記ＭＡＣ−Ｄに伝送する第１機能と、前記ＭＡＣ−Ｄからデータと付加情報とを伝送チャネルを介して基地局（Ｎｏｄｅ  Ｂ）に伝送する第２機能と、前記基地局（Ｎｏｄｅ  Ｂ）でデータと付加情報とを無線伝送形態に処理した後、多重化して物理チャネルを介して移動局に伝送する第３機能とを実現させるためのプログラムを記録したコンピュータで読み出すことのできる記録媒体を提供する。
【００３１】
本発明は、非同期移動局、非同期無線網そしてＧＳＭ−ＭＡＰ  ｃｏｒｅ  ｎｅｔｗｏｒｋから構成されているシステムにおける受信されたデータに誤りがあるとき、受信側で再伝送を要請する場合、ハイブリッド自動再伝送要求方式２／３を利用した技術である。
【００３２】
本発明が提示する方法は、ＲＬＣでデータと付加情報（ｓｉｄｅ  ｉｎｆｏｒｍａｔｉｏｎ）とを各々生成して無線網を経由してノードＢに伝送し、このようなデータと付加情報とをノードＢで作業して一つの物理チャネルＤＰＣＨを介して移動局に伝送されるようにする方式である。これを通して特に、従来の技術の問題点の中、伝送部の物理チャネルの複雑度が増加する問題を解決することができる。
【００３３】
【発明の実施の形態】
以下、当業者が本発明を容易に実施できるように、本発明を、好ましい実施の形態の図面を参照しながら説明する。
【００３４】
図３及び図４に示すように、非同期無線網の構造は大きく２種類に分けられる。すなわち、図３に示すように、共用チャネル部分（Ｂｒｏａｄｃａｓｔ  ｃｈａｎｎｅｌ、ＲＡＣＨ（Ｒａｎｄｏｍ  Ａｃｃｅｓｓ  Ｃｈａｎｎｅｌ）、Ｐｉｌｏｔ  Ｃｈａｎｎｅｌ等）を処理するＭＡＣ−Ｃと、一般ユーザー部分（Ｄｅｄｉｃａｔｅｄ  ｃｈａｎｎｅｌ等）を処理するＭＡＣ−Ｄとが互いに分離されて異なるシステムにある場合と、図４に示すように、ＭＡＣ−ＣとＭＡＣ−Ｄとが同じシステムにある場合とに分けられる。
【００３５】
図３は、本発明による伝送部が無線網である場合のデータ伝送方法を示し、ＭＡＣ−ＤとＭＡＣ−Ｃとが互いに異なるシステムで動作するとき、各信号の説明は次の通りである。
【００３６】
符号３０１は、ＲＲＣ制御信号である。符号３０２は、上位（網）から受信するデータをＭＡＣ−Ｄに伝送する機能を有する信号であって、ＤＴＣＨ（Ｄｅｄｉｃａｔｅｄ  Ｔｒａｆｆｉｃ  ＣＨａｎｎｅｌ）などのような論理チャネルを介してデータをＭＡＣ−Ｄに伝送する。
【００３７】
符号３０３は、付加情報（符号３０２で表される信号内容に関する情報、すなわちｓｅｑｕｅｎｃｅ  ｎｕｍｂｅｒ、ｖｅｒｓｉｏｎ  ｎｕｍｂｅｒ等）をＭＡＣ−Ｄに伝送する機能を有する信号であって、ＤＴＣＨまたはＤＣＣＨ（Ｄｅｄｉｃａｔｅｄ  Ｃｏｎｔｒｏｌ  ＣＨａｎｎｅｌ）などのような論理チャネルを介して付加情報（例えば、ｓｅｑｕｅｎｃｅ  ｎｕｍｂｅｒ、ｖｅｒｓｉｏｎ  ｎｕｍｂｅｒ等）をＭＡＣ−Ｄに伝送する。
【００３８】
符号３０４は、信号３０２で受信したデータをノードＢに伝送する機能を有する信号であって、ＤＣＨ（Ｄｅｄｉｃａｔｅｄ  ＣＨａｎｎｅｌ）などのような伝送チャネルを介してデータをノードＢに伝送する。
【００３９】
符号３０５は、信号３０３で受信した付加情報をノードＢに伝送する機能を有する信号であって、ＤＣＨなどのような伝送チャネルを介して付加情報をノードＢに伝送する。
【００４０】
符号３０６は、信号３０４と３０５で受信したデータと付加情報をノードＢで無線伝送形態に処理して伝送する機能を有する信号であって、ＤＰＣＨなどのような物理チャネルを介してデータと付加情報を受信端に伝送する。
【００４１】
図４は、は、本発明による伝送部が無線網である場合のデータ伝送方法を示し、ＭＡＣ−ＤとＭＡＣ−Ｃとが同じシステムで動作するとき、各信号の説明は次の通りである。
【００４２】
符号３１１は、ＲＲＣ制御信号である。符号３１２は、上位（網）から受信するデータをＭＡＣ−Ｄに伝送する機能を有する信号であって、ＤＴＣＨなどのような論理チャネルを介してデータをＭＡＣ−Ｄに伝送する。
符号３１３は、付加情報（信号３１２に関する情報、すなわちｓｅｑｕｅｎｃｅ  ｎｕｍｂｅｒ、ｖｅｒｓｉｏｎ  ｎｕｍｂｅｒ等）をＭＡＣ−Ｄに伝送する機能を有する信号であって、ＤＴＣＨあるいはＤＣＣＨなどのような論理チャネルを介して付加情報をＭＡＣ−Ｄに伝送する。
【００４３】
符号３１４は、信号３１２で受信したデータをノードＢに伝送する機能を有する信号であって、ＤＣＨなどのような伝送チャネルを介してデータをノードＢに伝送する。
【００４４】
符号３１５は、信号３１３で受信した付加情報をノードＢに伝送する機能を有する信号であって、ＤＣＨなどのような伝送チャネルを介して付加情報をノードＢに伝送する。
【００４５】
符号３１６は、信号３１４と３１５で受信したデータと付加情報をノードＢで無線伝送形態に処理して伝送する機能を有する信号であって、ＤＰＣＨなどのような物理チャネルを介してデータと付加情報とを受信端に伝送する。
【００４６】
無線網でＭＡＣ−ＤとＭＡＣ−Ｃとが互いに異なるシステムにある場合（図３参照）のデータ伝送過程は、下記の図５と同様であり、ＭＡＣ−ＤとＭＡＣ−Ｃとが同じシステムにある場合（図４参照）のデータ伝送過程は、下記の図６と同様である。このときのデータ伝送時、各信号の機能と含まれている情報は次の（表１）と同様である。
【００４７】
【表１】
0003569724.tif 000002
【００４８】
前記（表１）で、無線網のＲＬＣは、信号４１２を受信してデータを再伝送するかを決定し、再伝送すべきである場合、符号４０１で示す処理から再び実行することとなる。
【００４９】
以下では、伝送部が無線網である場合、ＭＡＣ−ＤとＭＡＣ−Ｃとが互いに異なるシステムで動作するか、あるいはＭＡＣ−ＤとＭＡＣ−Ｃとが同じシステムで動作するときのデータ伝送過程について、それぞれ図５及び６を参照しながら説明する。
【００５０】
図５及び図６に示すように、本発明にかかるデータ伝送方法は、無線網ＲＬＣで生成したデータとそのデータに関する情報部分をＲＬＣで作成して、作成されたデータと付加情報とを各々ＭＡＣ−Ｄを経由して無線網のノードＢに伝送し、ノードＢでデータと付加情報とを各々処理した後、多重化して一つの物理チャネル（ＤＰＣＨ）を介して移動局に伝達し、移動局で情報を受信してＡＲＱ動作を処理する。
【００５１】
これを具体的に述べると、まずＲＬＣが上位（または網）から受信したデータを処理してＤＴＣＨなどのような論理チャネルを介してＭＡＣ−Ｄに伝送する（符号４０１で示す）。
【００５２】
同時に、ＲＬＣは、符号４０１で示した処理における受信し処理したデータの付加情報（ｓｅｑｕｅｎｃｅ  ｎｕｍｂｅｒ、ｖｅｒｓｉｏｎ  ｎｕｍｂｅｒ等）を作成して、データ部分がＭＡＣ−Ｄに伝送される際に並列にＤＴＣＨまたはＤＣＣＨなどのような論理チャネルを介してＭＡＣ−Ｄに伝送する（符号４０２で示す）。
【００５３】
次いで、ＭＡＣ−Ｄは、ＲＬＣから受信したデータ部分をノードＢ伝送形態に処理して、ＤＣＨなどのような伝送チャネルを介してノードＢに伝送する（符号４０３で示す）。この際に、ＭＡＣ−Ｄは、ＲＬＣからデータ部分と付加情報部分とを共に受信するか、別々に受信する場合にも、上位階層制御信号に応じてデータ部分と付加情報部分とをノードＢ伝送形態に処理して一つの信号に合わせてノードＢに伝送することができる。
【００５４】
次いで、ＭＡＣ−Ｄは、ＲＬＣから受信した付加情報部分をノードＢ伝送形態に処理してＤＣＨなどのような伝送チャネルを介してノードＢに伝送する（符号４０４で示す）。
【００５５】
以後に、ノードＢは、ＭＡＣ−Ｄから受信したデータと付加情報とを各々無線伝送形態に処理し、ＤＰＣＨなどのような一つの物理チャネルで伝送できるように、多重化して移動局（ＵＥ）に伝送する（符号４０５で示す）。
【００５６】
次いで、移動局（ＵＥ）は、受信されたデータからデータ部分は階層１バッファに格納し、付加情報部分は、ＭＡＣ−Ｄへの伝送形態に処理してデータ区別子（現在移動局に受信されたデータが階層ｌに受信された時間を知らせる時間情報）と共にＤＣＨなどのような伝送チャネルを介して移動局のＭＡＣ−Ｄに伝送する（符号４０６で示す）。
【００５７】
次いで、移動局のＭＡＣ−Ｄは、階層１から受信した付加情報（ｓｉｄｅ  ｉｎｆｏｒｍａｔｉｏｎ、データ区別子等）をＲＬＣ伝送形態に処理してＤＴＣＨまたはＤＣＣＨなどのような論理チャネルを介してＲＬＣに伝送する（符号４０７で示す）。
【００５８】
次いで、移動局のＲＬＣは、受信したデータを解析してｓｅｑｕｅｎｃｅ  ｎｕｍｂｅｒ、ｖｅｒｓｉｏｎ  ｎｕｍｂｅｒ、データ区別子、を抽出した後、これをＲＬＣとＲＲＣとの間に定義されているＣｏｎｔｒｏｌ  ＳＡＰを介してＣＲＬＣ−ＨＡＲＱ−ＩＮＤプリミティブのパラメータとしてＲＲＣに伝送する（符号４０８で示す）。
【００５９】
すると、移動局のＲＲＣは、ＲＲＣと階層１との間に定義されているＣｏｎｔｒｏｌ  ＳＡＰを介して、パラメータとしてＣＰＨＹ−ＨＡＲＱ−ＲＥＱプリミティブを階層１に伝送する（符号４０９で示す）。ここで、ＣＰＨＹ−ＨＡＲＱ−ＲＥＱプリミティブは、ｓｅｑｕｅｎｃｅ  ｎｕｍｂｅｒ、ｖｅｒｓｉｏｎ  ｎｕｍｂｅｒ、データ区別子、ＣＲＬＣ−ＨＡＲＱ−ＩＮＤプリミティブのパラメータ、を有する。
【００６０】
次いで、移動局の階層１は、ＲＲＣから受信した信号が格納されているデータの情報に該当すれば、受信信号に応じて格納されているデータを処理しＭＡＣ−Ｄ伝送形態に処理してＤＣＨなどのような伝送チャネルを介してＭＡＣ−Ｄに伝送する（符号４１０で示す）。
【００６１】
次いで、移動局のＭＡＣ−Ｄは、受信したデータをＲＬＣ形態のデータに処理してＤＴＣＨなどのような論理チャネルを介してＲＬＣに伝送する（符号４１１で示す）。
【００６２】
最後に、移動局のＲＬＣは、受信したデータの状態を無線網に報告（ＡＣＫ、ＮＡＣＫまたはｒｅｐｏｒｔ）する（符号４１２で示す）。すると、無線網のＲＬＣは、受信した移動局の報告に応じて再伝送如何を決定し、再伝送である場合、前述した符号４０１で示したステップから再び行う。
【００６３】
このような信号を作成し、伝送する各部分の説明を、図７ないし図９と図１０ないし図１３を参照しながら、さらに詳細に説明する。
【００６４】
図７ないし図９は、非同期無線網の各部分動作に対するものであって、図１０ないし１３は、非同期移動局各部分に対するものである。
【００６５】
図７は、本発明の実施の形態にかかる無線網各部分における動作において、ＲＬＣでのデータ伝送過程に対する詳細フローチャートである。
【００６６】
図７に示すように、ハイブリッド自動再伝送要求方式２／３を支援するための非同期無線網のＲＬＣでは、呼を初期化した（ステップ５０１）後、上位（または網）からデータを受信（ステップ５０２）して、受信したデータがトラフィック・データ、または自動再伝送要求形式に適合するように作成されたデータであるかを決定する（ステップ５０３）。
【００６７】
ステップ５０３において受信したデータがトラフィック・データ、または自動再伝送要求形式に適合するように作成されたデータであるとした場合には、受信データを伝送データ形態に処理し（ステップ５０４）、受信データの付加情報を抽出して（ステップ５０５）、伝送データ形態に処理する（ステップ５０６）。このとき、伝送形態に処理されたデータは、ＤＴＣＨなどのような論理チャネルを介して、そして付加情報は、ＤＣＣＨなどのような論理チャネルを介してＭＡＣ−Ｄに各々伝送されるか、あるいは伝送形態に処理されたデータと付加情報は、ＤＴＣＨなどのような論理チャネルを介してＭＡＣ−Ｄに伝送される（ステップ５０８）。
【００６８】
すなわち、ハイブリッド自動再伝送要求方式２／３を支援するための非同期無線網におけるＲＬＣは、上位階層から受信したデータがトラフィック・データ、または自動再伝送要求形式に適合するように作成されたデータであるかを決定して、トラフィック・データ、または自動再伝送要求形式に適合するように作成されたデータである場合、ＭＡＣ−Ｄ伝送形態に処理し、並行してそのデータの付加情報（ｓｅｑｕｅｎｃｅ  ｎｕｍｂｅｒ、ｖｅｒｓｉｏｎ  ｎｕｍｂｅｒ等）もＭＡＣ−Ｄ伝送形態に処理して、伝送形態に処理されたデータをＤＴＣＨなどのような論理チャネルを介してＭＡＣ−Ｄに伝送し、伝送形態に処理されたデータの情報部分をＤＴＣＨまたはＤＣＣＨなどのような論理チャネルを介してデータと並列にＭＡＣ−Ｄに伝送する。
【００６９】
ステップ５０３において、受信したデータがトラフィック・データ、または自動再伝送要求形式に適合するように作成されたデータではないとした場合には、受信データを伝送データ形態に処理して（ステップ５０７）、伝送形態に処理されたデータをＭＡＣ−Ｄに各々伝送する（ステップ５０８）。
【００７０】
図８は、本発明の実施の形態にかかる無線網各部分における動作において、ＭＡＣ−Ｄでのデータ伝送過程に対する詳細フローチャートである。
【００７１】
図８に示すように、ハイブリッド自動再伝送要求方式２／３を支援するための非同期無線網のＭＡＣ−Ｄでは、呼を初期化した（ステップ５１１）後、ＲＬＣからデータを受信して（ステップ５１２）、受信したデータをノードＢ伝送形態に処理し（ステップ５１３）、伝送形態に処理したデータをＤＣＨなどのような伝送チャネルを介してノードＢに伝送する（ステップ５１４）。
【００７２】
そして、上位階層制御信号、またはデータ部分とデータ情報部分とが共に受信される場合、ＭＡＣ−Ｄは、データ部分とデータ情報部分とをノードＢ伝送形態に処理して一つの信号に合わせてノードＢに伝送することができる。
【００７３】
図９は、本発明の実施の形態にかかる無線網各部分における動作において、ノードＢでのデータ伝送過程に対する詳細フローチャートである。
【００７４】
図９に示すように、ハイブリッド自動再伝送要求方式２／３を支援するための非同期無線網のノードＢでは、呼を初期化した（ステップ５２１）後、ＭＡＣ−Ｄからデータを受信して（ステップ５２２）、上位階層の情報または受信データと共に伝送された情報により、受信したデータがデータまたは付加情報であるかを決定する（ステップ５２３）。
【００７５】
ステップ５２３において、受信したデータがデータであるとした場合には、共に伝送されたＴＦＩ及び階層１制御情報に応じて受信データを処理し（ステップ５２４）、受信したデータが付加情報であるとした場合には、共に伝送されたＴＦＩ及び階層１制御情報に応じて受信データを処理して（ステップ５２５）、処理されたデータ及び付加情報を多重化した（ステップ５２６）後、多重化された結果をＤＰＣＨなどのような物理チャネルを介して移動局（ＵＥ）に伝送する（ステップ５２７）。
【００７６】
図１０は、本発明の実施の形態にかかる移動局各部分における動作において、階層１でのデータ伝送過程に対する詳細フローチャートである。
【００７７】
図１１に示すように、ハイブリッド自動再伝送要求方式２／３を支援するための非同期移動局の階層１では、呼を初期化した（ステップ６０１）後、無線網からＤＰＣＨなどのような物理チャネルを介してデータを受信して（ステップ６０２、受信したデータからデータ部分と付加情報部分とを分離した（ステップ６０３後、分離されたデータがデータまたは付加情報であるか決定するする（ステップ６０４）。
【００７８】
ステップ６０４において、分離されたデータが付加情報であるとした場合には、データをＭＡＣ−Ｄ伝送形態に処理した（ステップ６０９）後、処理されたデータをＤＣＨなどのような伝送チャネルを介してＭＡＣ−Ｄに伝送する（ステップ６１０）。
【００７９】
ステップ６０４において、分離されたデータがトラフィック・データであるとした場合には、データを階層１のバッファに格納した（ステップ６０５）後、上位階層信号を受信して（ステップ６０６）、受信信号が格納されたデータに該当した信号であるかを分析する（ステップ６０７）。
【００８０】
ステップ６０７において、格納されたデータに対する信号であるならば、その信号に応じて階層１作業（デコーディングまたは過去のデータとの結合）を行い、データをＭＡＣ−Ｄ伝送形態に処理して（ステップ６０８）、処理されたデータをＤＣＨなどのような伝送チャネルを介してＭＡＣ−Ｄに伝送する（ステップ６１０）。
【００８１】
図１１は、本発明の実施の形態にかかる移動局各部分における動作において、ＭＡＣ−Ｄでのデータ伝送過程に対する詳細フローチャートである。
【００８２】
図１１に示すように、ハイブリッド自動再伝送要求方式２／３を支援するための非同期移動局のＭＡＣ−Ｄでは、呼を初期化した（ステップ６１１）後、階層１からデータを受信して（ステップ６１２）、受信されたデータをＲＬＣ伝送形態に処理し（ステップ６１３）、伝送形態に処理したデータをＲＬＣに伝送することにおいて、伝送形態に処理されたデータが付加情報に関連したデータである場合には、ＤＴＣＨまたはＤＣＣＨなどのような論理チャネルを介してＲＬＣに伝送し、伝送形態に処理されたデータがユーザー・データである場合には、ＤＴＣＨなどのような論理チャネルを介してＲＬＣに伝送する（ステップ６１４）。
【００８３】
図１２は、本発明の実施の形態にかかる移動局各部分における動作において、ＲＬＣでのデータ伝送過程に対する詳細フローチャートである。
【００８４】
図１２に示すように、ハイブリッド自動再伝送要求方式２／３を支援するための非同期移動局のＲＬＣでは、呼を初期化した（ステップ６２１）後、ＭＡＣ−Ｄからデータを受信して（ステップ６２２）、受信したデータがデータ、または付加情報であるかを決定する（ステップ６２３）。
【００８５】
ステップ６２３において、受信したデータが付加情報であるとした場合には、付加情報から必要な情報（ｓｅｑｕｅｎｃｅ  ｎｕｍｂｅｒ、ｖｅｒｓｉｏｎ  ｎｕｍｂｅｒ等）を抽出して（ステップ６２８）、抽出された情報とデータ区別子とをＲＲＣ伝送形態に処理した（ステップ６２９）後、伝送形態に処理されたデータ（ｓｅｑｕｅｎｃｅ  ｎｕｍｂｅｒ、ｖｅｒｓｉｏｎ  ｎｕｍｂｅｒ、データ区別子）をＣｏｎｔｒｏｌ  ＳＡＰの特定プリミティブ（ＣＲＬＣ−ＨＡＲＱ−ＩＮＤ）を介してＲＲＣに伝送する（ステップ６３０）。
【００８６】
ステップ６２３において、受信したデータがトラフィック・データであるとした場合には、データを網伝送形態に処理して（ステップ６２４）、網（または上位階層）に伝送する（ステップ６２７）。
【００８７】
そして、受信した信号の状態を報告信号に作成して（ステップ６２５）、非同期無線網のＲＬＣに伝送する（ステップ６２６）。
【００８８】
図１３は、本発明の実施の形態にかかる移動局各部分における動作において、ＲＲＣでのデータ伝送過程に対する詳細フローチャートである。
【００８９】
図１３に示すように、ハイブリッド自動再伝送要求方式２／３を支援するための非同期移動局のＲＲＣでは、呼を初期化した（ステップ６３１）後、ＲＬＣからデータを受信して（ステップ６３２）、受信されたデータがＡＲＱ関連情報であるかを決定する（ステップ６３３）。
【００９０】
ステップ６３３において、受信したデータがＡＲＱ関連情報であるとした場合には、受信したデータを階層１伝送形態に処理して（ステップ６３５）、処理されたデータ（ｓｅｑｕｅｎｃｅ  ｎｕｍｂｅｒ、ｖｅｒｓｉｏｎ  ｎｕｍｂｅｒ、データ区別子）をＣｏｎｔｒｏｌ  ＳＡＰの特定プリミティブ（ＣＰＨＹ−ＨＡＲＱ−ＲＥＱ）を介して階層１に伝送する（ステップ６３４）。
【００９１】
ステップ６３３において、受信したデータがＡＲＱ関連情報ではないとした場合には、受信したデータに応じて該当作業を処理した（ステップ６３４）後、ＲＬＣからデータを受信するステップ６３２に遷移する。
【００９２】
以上のように、本発明では、最も好ましい実施の形態として、非同期式無線通信システムを仮定して説明したが、これに限定されることはなく、同期式無線通信システムでもＲＬＣでデータと付加情報とを各々生成して無線網を経由して基地局（Ｎｏｄｅ  Ｂ）に伝送し、このようなデータと付加情報とを基地局（Ｎｏｄｅ  Ｂ）で作業して一つの物理チャネルＤＰＣＨを介して移動局に伝送することができるので、この場合にも本実施の形態と同様とみるべきであることは明らかである。
【００９３】
なお、本発明の技術思想は、上記好ましい実施の形態によって具体的に記述されたが、上記した実施の形態はその説明のためのものであって、その制限のためのものでないことに留意されるべきである。また、本発明の技術分野の通常の専門家であるならば、本発明の技術思想の範囲内で種々の実施の形態が可能であることを理解されるべきである。
【００９４】
【発明の効果】
上記したようになされる本発明は、データのヘッダのような情報を有している付加情報部分とデータ部分とを分離してコーディング・レートを各々調節することができるので、付加情報部分の誤り発生確率を低減することができ、付加情報部分に誤りが発生したかどうかをデータ部分と分離してチェックすることができ、先に付加情報部分を確認してデータを処理することができるので、結合を安定的に行うことのできる効果がある。
【図面の簡単な説明】
【図１】一般的な広帯域無線通信網（Ｗ−ＣＤＭＡ）の構成を例示する図である。
【図２】一般的な非同期移動通信システム（ＵＴＲＡＮ）の詳細構成を例示する図である。
【図３】本発明にかかる伝送部が無線網である場合、ＭＡＣ−ＤとＭＡＣ−Ｃとが互いに異なるシステムで動作するときのデータ伝送方法を示す一実施形態の説明図である。
【図４】本発明にかかる伝送部が無線網である場合、ＭＡＣ−ＤとＭＡＣ−Ｃとが同じシステムで動作するときのデータ伝送方法を示す他の実施形態の説明図である。
【図５】本発明にかかる伝送部が無線網である場合、ＭＡＣ−ＤとＭＡＣ−Ｃとが互いに異なるシステムで動作するときのデータ伝送方法に対する一実施形態のフローチャートである。
【図６】本発明にかかる伝送部が無線網である場合、ＭＡＣ−ＤとＭＡＣ−Ｃとが同じシステムで動作するときのデータ伝送方法に対する他の実施形態のフローチャートである。
【図７】本発明の実施の形態にかかる無線網各部分における動作において、ＲＬＣでのデータ伝送過程に対する詳細フローチャートである。
【図８】本発明の実施の形態にかかる無線網各部分における動作において、ＭＡＣ−Ｄでのデータ伝送過程に対する詳細フローチャートである。
【図９】本発明の実施の形態にかかる無線網各部分における動作において、ノードＢでのデータ伝送過程に対する詳細フローチャートである。
【図１０】本発明の実施の形態にかかる移動局各部分における動作において、階層１でのデータ伝送過程に対する詳細フローチャートである。
【図１１】本発明の実施の形態にかかる移動局各部分における動作において、ＭＡＣ−Ｄでのデータ伝送過程に対する詳細フローチャートである。
【図１２】本発明の実施の形態にかかる移動局各部分における動作において、ＲＬＣでのデータ伝送過程に対する詳細フローチャートである。
【図１３】本発明の実施の形態にかかる移動局各部分における動作において、ＲＲＣでのデータ伝送過程に対する詳細フローチャートである。
【符号の説明】
１００      移動局
２００      非同期無線網
３００      無線通信コア・ネットワーク
【図１】
0003569724.tif 000003
【図２】
0003569724.tif 000004
【図３】
0003569724.tif 000005
【図４】
0003569724.tif 000006
【図５】
0003569724.tif 000007
【図６】
0003569724.tif 000008
【図７】
0003569724.tif 000009
【図８】
0003569724.tif 000010
【図９】
0003569724.tif 000011
【図１０】
0003569724.tif 000012
【図１１】
0003569724.tif 000013
【図１２】
0003569724.tif 000014
【図１３】
0003569724.tif 000015